(57)【要約】      （修正有）【課題】短時間で釣合錘装置の強度を高めることが可能にして、廃棄品の量が低減されたエレベータの釣合錘装置の改造方法を提供すること【解決手段】エレベータの釣合錘装置１０の改造方法は、錘本体枠２０の既存上梁を、既存縦梁５０から取り外す取外工程と、既存縦梁５０に改造取付孔６１を加工する加工工程と、錘本体枠２０の既存縦梁５０に、改造上梁４１を取り付ける取付工程と、を備えている。取付工程において、改造上梁４１は、改造取付孔６１に挿入された締結部材７０によって既存縦梁５０に取り付けられ、加工工程において、改造取付孔６１は、既存上梁を既存縦梁５０に取り付けるための既存取付孔６０の下方に形成される。【選択図】図３
2018095409.tif 000002
【特許請求の範囲】
【請求項１】
乗りかごに連結された釣合錘装置であって、既存上梁と、既存下梁と、前記既存上梁と前記既存下梁とを連結した一対の既存縦梁と、を有する錘本体枠と、前記錘本体枠に搭載された錘と、を備えた、エレベータの釣合錘装置の改造方法であって、前記錘本体枠の前記既存上梁を、前記既存縦梁から取り外す取外工程と、前記既存縦梁に改造取付孔を加工する加工工程と、前記錘本体枠の前記既存縦梁に、改造上梁を取り付ける取付工程と、を備え、前記取付工程において、前記改造上梁は、前記改造取付孔に挿入された締結部材によって前記既存縦梁に取り付けられ、前記加工工程において、前記改造取付孔は、前記既存上梁を前記既存縦梁に取り付けるための既存取付孔の下方に形成されることを特徴とするエレベータの釣合錘装置の改造方法。
【請求項２】
前記既存縦梁に、前記既存取付孔よりも下方に切欠部が形成されており、前記加工工程において、前記改造取付孔は、前記切欠部よりも下方に形成されることを特徴とする請求項１に記載のエレベータの釣合錘装置の改造方法。
【請求項３】
乗りかごに連結された釣合錘装置であって、既存上梁と、既存下梁と、前記既存上梁と前記既存下梁とを連結した一対の既存縦梁と、を有する錘本体枠と、前記錘本体枠に搭載された錘と、を備えた、エレベータの釣合錘装置の改造方法であって、前記錘本体枠の前記既存上梁を、前記既存縦梁から取り外す取外工程と、前記既存縦梁に改造取付孔を加工する加工工程と、前記錘本体枠の前記既存縦梁に、改造上梁を取り付ける取付工程と、を備え、前記取付工程において、前記改造上梁は、前記改造取付孔に挿入された締結部材によって前記既存縦梁に取り付けられ、前記加工工程において、前記改造取付孔は、前記既存縦梁の側面に形成されることを特徴とするエレベータの釣合錘装置の改造方法。
【請求項４】
乗りかごに連結された釣合錘装置であって、既存上梁と、既存下梁と、前記既存上梁と前記既存下梁とを連結した一対の既存縦梁と、を有する錘本体枠と、前記錘本体枠に搭載された錘と、を備えた、エレベータの釣合錘装置の改造方法であって、補強部材を準備する工程と、前記既存縦梁に前記補強部材を取り付ける取付工程と、を備え、前記既存縦梁に、切欠部が形成されており、前記取付工程において、前記補強部材は、前記切欠部を覆うように前記既存縦梁に取り付けられることを特徴とするエレベータの釣合錘装置の改造方法。
【請求項５】
乗りかごに連結された釣合錘装置であって、既存上梁と、既存下梁と、前記既存上梁と前記既存下梁とを連結した一対の既存縦梁と、を有する錘本体枠と、前記錘本体枠に搭載された錘と、を備えた、エレベータの釣合錘装置の改造方法であって、前記錘本体枠から錘の一部を取り除く取除工程と、前記錘本体枠に、改造錘組立体を搭載する搭載工程と、を備え、前記既存縦梁に、切欠部が形成されており、前記搭載工程において、前記改造錘組立体は、前記既存縦梁に取り付けられるとともに、前記切欠部を覆うように取り付けられることを特徴とするエレベータの釣合錘装置の改造方法。
【請求項６】
乗りかごに連結されるエレベータの釣合錘装置であって、上梁と、下梁と、前記上梁と前記下梁とを連結した一対の縦梁と、を有する錘本体枠と、前記錘本体枠に搭載された錘と、を備え、前記縦梁は、前記上梁を取り付けるための取付孔と、前記取付孔よりも下方に設けられた切欠部と、を有し、前記縦梁に、前記切欠部を覆う補強部材が設けられていることを特徴とするエレベータの釣合錘装置。
【請求項７】
乗りかごに連結されるエレベータの釣合錘装置であって、上梁と、下梁と、前記上梁と前記下梁とを連結した一対の縦梁と、を有する錘本体枠と、前記縦梁に取り付けられた取付板と、前記取付板に取り付けられた補助錘と、を備え、前記縦梁は、前記上梁を取り付けるための取付孔と、前記取付孔よりも下方に設けられた切欠部と、を有し、前記取付板は、前記切欠部を覆っていることを特徴とするエレベータの釣合錘装置。
【発明の詳細な説明】
【技術分野】
【０００１】
本発明の実施の形態は、エレベータの釣合錘装置の改造方法及び釣合錘装置に関する。
【背景技術】
【０００２】
従来、乗りかごと釣合錘装置とがメインロープによって接続され、メインロープを巻上機で巻き上げることにより乗りかごを昇降させるエレベータ装置が知られている。釣合錘装置は、上梁と下梁と縦梁とを含む錘本体枠に錘を搭載することにより構成されている。
【先行技術文献】
【特許文献】
【０００３】
【特許文献１】特開２０１５−１８２８４５号公報
【発明の概要】
【発明が解決しようとする課題】
【０００４】
ところで、エレベータ装置の耐震基準には、釣合錘装置の錘を支持する錘本体枠が所定の強度を満たすべきことが規定されている。したがって、耐震基準が強化された場合、既存の釣合錘装置の錘本体枠が最新の耐震基準に合致しなくなってしまうことがある。このような場合、既存の錘本体枠を、より強度の高い新たな錘本体枠に交換する必要がある。しかしながら、錘本体枠を交換する場合、既存の錘本体枠に搭載されていた錘を新たな錘本体枠に積み替えたり、既存の錘本体枠に取り付けられていた他の部品（シーブやローラガイド等）を新たな錘本体枠に組み替える必要があり、多くの時間と労力を要していた。また、既存の錘本体枠は、再利用されず、全て廃棄品となっていた。
【０００５】
本発明は、このような点を考慮してなされたものであり、短時間で釣合錘装置の強度を高めることが可能であり、廃棄品の量が低減されたエレベータの釣合錘装置の改造方法を提供すること、を目的とする。また本発明は、強度の高いエレベータの釣合錘装置を提供すること、を目的とする。
【課題を解決するための手段】
【０００６】
一実施の形態によるエレベータの釣合錘装置の改造方法は、乗りかごに連結された釣合錘装置であって、既存上梁と、既存下梁と、既存上梁と既存下梁とを連結した一対の既存縦梁と、を有する錘本体枠と、錘本体枠に搭載された錘と、を備えた、エレベータの釣合錘装置の改造方法であって、錘本体枠の既存上梁を、既存縦梁から取り外す取外工程と、既存縦梁に改造取付孔を加工する加工工程と、錘本体枠の既存縦梁に、改造上梁を取り付ける取付工程と、を備えている。取付工程において、改造上梁は、改造取付孔に挿入された締結部材によって既存縦梁に取り付けられ、加工工程において、改造取付孔は、既存上梁を既存縦梁に取り付けるための既存取付孔の下方に形成される。
【０００７】
また、一実施の形態によるエレベータの釣合錘装置の改造方法は、乗りかごに連結された釣合錘装置であって、既存上梁と、既存下梁と、既存上梁と既存下梁とを連結した一対の既存縦梁と、を有する錘本体枠と、錘本体枠に搭載された錘と、を備えた、エレベータの釣合錘装置の改造方法であって、錘本体枠の既存上梁を、既存縦梁から取り外す取外工程と、既存縦梁に改造取付孔を加工する加工工程と、錘本体枠の既存縦梁に、改造上梁を取り付ける取付工程と、を備えている。取付工程において、改造上梁は、改造取付孔に挿入された締結部材によって既存縦梁に取り付けられ、加工工程において、改造取付孔は、既存縦梁の側面に形成される。
【０００８】
また、一実施の形態によるエレベータの釣合錘装置の改造方法は、乗りかごに連結された釣合錘装置であって、既存上梁と、既存下梁と、既存上梁と既存下梁とを連結した一対の既存縦梁と、を有する錘本体枠と、錘本体枠に搭載された錘と、を備えた、エレベータの釣合錘装置の改造方法であって、補強部材を準備する工程と、既存縦梁に補強部材を取り付ける取付工程と、を備えている。既存縦梁に、切欠部が形成されており、取付工程において、補強部材は、切欠部を覆うように既存縦梁に取り付けられる。
【０００９】
また、一実施の形態によるエレベータの釣合錘装置の改造方法は、乗りかごに連結された釣合錘装置であって、既存上梁と、既存下梁と、既存上梁と既存下梁とを連結した一対の既存縦梁と、を有する錘本体枠と、錘本体枠に搭載された錘と、を備えた、エレベータの釣合錘装置の改造方法であって、錘本体枠から錘の一部を取り除く取除工程と、錘本体枠に、改造錘組立体を搭載する搭載工程と、を備えている。既存縦梁に、切欠部が形成されており、搭載工程において、改造錘組立体は、既存縦梁に取り付けられるとともに、切欠部を覆うように取り付けられる
【００１０】
また、一実施の形態によるエレベータの釣合錘装置は、乗りかごに連結されるエレベータの釣合錘装置であって、上梁と、下梁と、上梁と下梁とを連結した一対の縦梁と、を有する錘本体枠と、錘本体枠に搭載された錘と、を備えている。縦梁は、上梁を取り付けるための取付孔と、取付孔よりも下方に設けられた切欠部と、を有し、縦梁に、切欠部を覆う補強部材が設けられている。
【００１１】
また、一実施の形態によるエレベータの釣合錘装置は、乗りかごに連結されるエレベータの釣合錘装置であって、上梁と、下梁と、上梁と下梁とを連結した一対の縦梁と、を有する錘本体枠と、縦梁に取り付けられた取付板と、取付板に取り付けられた補助錘と、を備えている。縦梁は、上梁を取り付けるための取付孔と、取付孔よりも下方に設けられた切欠部と、を有し、取付板は、切欠部を覆っている。
【図面の簡単な説明】
【００１２】
【図１】図１は、第１の実施の形態におけるエレベータ装置の全体概略構成の一例を示す斜視図である。
【図２】図２は、本発明の第１の実施の形態における改造途中の釣合錘装置の構成を示す図である。詳しくは、図２（ａ）が、釣合錘装置の上面の一部を切り欠いた切欠図及びその部分拡大図であり、図２（ｂ）が、釣合錘装置の正面図であり、図２（ｃ）が、その側面図である。
【図３】図３は、本発明の第１の実施の形態における改造後の釣合錘装置の構成を示す図である。詳しくは、図３（ａ）が、図３（ｂ）のＩＩＩ−ＩＩＩ線断面図及びその部分拡大図であり、図３（ｂ）が、釣合錘装置の正面図であり、図３（ｃ）が、その側面図である。
【図４】図４は、本発明の第２の実施の形態における改造後の釣合錘装置の構成を示す図である。詳しくは、図４（ａ）が、図４（ｂ）のＩＶ−ＩＶ線断面図及びその部分拡大図であり、図４（ｂ）が、釣合錘装置の正面図であり、図４（ｃ）が、その側面図である。
【図５】図５は、本発明の第３の実施の形態における改造後の釣合錘装置の構成を示す図である。詳しくは、図５（ａ）が、釣合錘装置の上面の一部を切り欠いた切欠図及びその部分拡大図であり、図５（ｂ）が、釣合錘装置の正面図であり、図５（ｃ）が、その側面図である。
【図６】図６は、本発明の第４の実施の形態における改造後の釣合錘装置の構成を示す図である。詳しくは、図６（ａ）が、釣合錘装置の上面図であり、図６（ｂ）が、その正面図であり、図６（ｃ）が、その側面図である。
【図７】図７（ａ）は、図６（ｂ）に示す改造後の釣合錘装置のＡ−Ａ線断面図であり、図７（ｂ）は、そのＢ−Ｂ線断面図である。
【図８】図８は、本発明の第５の実施の形態における改造後の釣合錘装置の構成を示す図である。詳しくは、図８（ａ）が、釣合錘装置の上面図であり、図８（ｂ）が、その正面図であり、図８（ｃ）が、その側面図である。
【図９】図９は、図８（ｂ）に示す改造後の釣合錘装置のＣ−Ｃ線断面図である。
【発明を実施するための形態】
【００１３】
以下、図面を参照して本発明の実施の形態について説明する。
【００１４】
（第１の実施の形態）
図１〜図３を参照して、第１の実施の形態におけるエレベータの釣合錘装置の改造方法及び釣合錘装置について説明する。
【００１５】
ここでは、まず、第１の実施の形態によるエレベータの釣合錘装置が適用されるエレベータ装置の一例について説明する。
【００１６】
図１に示すように、エレベータ装置１は、昇降路２内を昇降可能な乗りかご３と、乗りかご３にメインロープ４を介して連結された釣合錘装置１０と、機械室６に設けられ、メインロープ４を介して乗りかご３及び釣合錘装置１０を昇降させる巻上機７（昇降駆動部）と、を備えている。メインロープ４は、巻上機７に連結されたトラクションシーブ７ａに巻き掛けられている。このような構成において、巻上機７がトラクションシーブ７ａを回転駆動することにより、メインロープ４が巻き上げられ、乗りかご３及び釣合錘装置１０がそれぞれ昇降する。ここで、昇降路２内には、上下方向に延びる一対のかごガイドレール８及び一対の錘ガイドレール９が設けられている。また、乗りかご３には、かごローラガイド１１が設けられており、釣合錘装置１０には、錘ローラガイド１２が設けられている。かごローラガイド１１及び錘ローラガイド１２は、それぞれ、かごガイドレール８及び錘ガイドレール９によって案内される。これにより、乗りかご３及び釣合錘装置１０を鉛直方向にスムーズに昇降させている。
【００１７】
続いて、第１の実施の形態における釣合錘装置１０について説明する。ここでは、まず、図２を参照して、改造前の釣合錘装置１０について説明する。
【００１８】
図２（ａ）〜（ｃ）は、改造途中の釣合錘装置１０を示す図である。具体的には、改造前の釣合錘装置１０に、後述する改造取付孔６１が加工された釣合錘装置１０を示す図である。図２（ａ）〜（ｃ）に示すように、改造前の釣合錘装置１０は、メインロープ４に接続された錘本体枠２０と、錘本体枠２０に搭載された錘３０と、を備えている。
【００１９】
錘本体枠２０は、錘本体枠２０の上部に取り付けられた既存上梁４０と、錘本体枠２０の下部に取り付けられた既存下梁４５と、既存上梁４０と既存下梁４５とを連結した一対の既存縦梁５０と、を有している。
【００２０】
既存上梁４０は、互いに離間した２つの既存上梁プレート４０ａを含んでいる。ここで、既存縦梁５０には、既存上梁プレート４０ａを取り付けるための既存取付孔６０が設けられている。既存上梁プレート４０ａの上下方向に延びる縁部には、この既存取付孔６０に対応して、ボルト孔４０ｂが設けられている。そして、既存上梁プレート４０ａは、ボルト孔４０ｂと既存取付孔６０とにボトル等の締結部材７０を挿入することによって、既存縦梁５０に取り付けられている。
【００２１】
既存上梁４０は、また、メインロープ４を接続可能なロープヒッチ部４６を含んでいる。ロープヒッチ部４６には、メインロープ４の一方の端部を固定するための複数のヒッチ穴４６ａが設けられており、ボルト等の締結手段（図示せず）を用いて、メインロープ４の一方の端部が固定可能になっている。もちろん、エレベータ装置１が図１に示すローピング方式とは異なるローピング方式を採用している場合には、既存上梁４０は、ロープヒッチ部４６の代わりに釣合錘用シーブ等を有していてもよい。
【００２２】
既存下梁４５は、互いに離間した２つの既存下梁プレート４５ａを含んでいる。既存下梁プレート４５ａも、既存上梁プレート４０ａと同様に、ボルト等の締結部材７５によって、既存縦梁５０に取り付けられている。
【００２３】
既存下梁４５には、錘３０が搭載されるようになっている。既存下梁４５に搭載された錘３０は、その両端部において、一対の既存縦梁５０によって支持されている。本実施の形態においては、錘３０は、既存下梁４５上に積載された複数の主錘３１と、主錘３１上に積載され、錘３０の質量を調整するための複数の調整錘３２と、を含んでいる。
【００２４】
各既存縦梁５０は、錘本体枠２０の上面視において、コの字型の形状を有している。各既存縦梁５０には、錘３０を一対の既存縦梁５０の間に挿入して既存下梁４５上に搭載するための、切欠部５０ａが形成されている。切欠部５０ａは、既存上梁４０を取り付けるための既存取付孔６０よりも下方、すなわち既存上梁４０の下方に形成されている。
【００２５】
さらに、既存縦梁５０には、錘押さえ５５が取り付けられている。錘押さえ５５は、既存下梁４５に搭載された錘３０の上面に当接するように設けられている。これにより、錘本体枠２０に搭載された錘３０の脱落が防止される。
【００２６】
このような釣合錘装置１０に対し、その強度を高めるように改造が施され、改造後の釣合錘装置１０が作製される。
【００２７】
そこで、次に、図３を参照して、改造後の釣合錘装置１０について説明する。
【００２８】
図２（ａ）〜（ｃ）及び図３（ａ）〜（ｃ）に示すように、改造前の釣合錘装置１０と改造後の釣合錘装置１０とは、その錘本体枠の構成が異なっている。より具体的には、改造前の釣合錘装置１０は、その錘本体枠２０の上部に、既存上梁４０を有している。これに対し、改造後の釣合錘装置１０は、その錘本体枠２０の上部に、既存上梁４０よりも強度の高い改造上梁４１を有している。
【００２９】
既存上梁４０と同様に、改造上梁４１は、メインロープ４を接続可能なロープヒッチ部４６と、互いに離間した２つの改造上梁プレート４１ａと、を含んでいる。ここで、図２（ａ）〜（ｃ）に示す既存上梁プレート４０ａと、図３（ａ）〜（ｃ）に示す改造上梁プレート４１ａとは、その上下方向の長さ寸法が異なっている。より具体的には、既存上梁プレート４０ａは、長さ寸法Ｌ０を有している。一方、改造上梁プレート４１ａは、長さ寸法Ｌ０よりも大きい長さ寸法Ｌ１を有している。
【００３０】
長さ寸法Ｌ０よりも大きい長さ寸法Ｌ１を有する改造上梁４１を取り付けるため、既存縦梁５０には、改造取付孔６１が加工されている。図２（ｂ）に示すように、改造取付孔６１は、既存取付孔６０の下方、且つ切欠部５０ａの上方に設けられている。ここで、改造上梁プレート４１ａの上下方向に延びる縁部には、既存取付孔６０と改造取付孔６１に対応して、ボルト孔４１ｂが設けられている。改造上梁プレート４１ａは、そのボルト孔４１ｂ並びに既存取付孔６０及び改造取付孔６１に締結部材７０を挿入することによって、既存縦梁５０に取り付けられている。
【００３１】
上述のように、改造前の釣合錘装置１０において、図２に示すように、既存上梁プレート４０ａは、長さ寸法Ｌ０を有する。この場合、既存上梁４０を固定する最も下側の締結部材７０と、既存下梁４５を固定する最も上側の締結部材７５と、の間隔は、間隔Ｄ０である。これに対し、改造後の釣合錘装置１０において、図３に示すように、改造上梁プレート４１ａは、長さ寸法Ｌ０よりも大きい長さ寸法Ｌ１を有する。この場合、改造上梁４１を固定する最も下側の締結部材７０と、既存下梁４５を固定する最も上側の締結部材７５と、の間隔は、間隔Ｄ０よりも小さい間隔Ｄ１である。よって、改造後の釣合錘装置１０において、一対の既存縦梁５０が互いから離れるように変形することが、より一層防止される。このように、長さ寸法Ｌ１が長さ寸法Ｌ０よりも大きいこと、及び、間隔Ｄ１が間隔Ｄ０よりも小さいことにより、改造後の錘本体枠２０の強度が、改造前の錘本体枠２０の強度よりも高められている。
【００３２】
次に、このような構成からなる本実施の形態の作用、すなわち釣合錘装置の改造方法について、図２及び図３を参照しながら説明する。
【００３３】
まず、改造前の釣合錘装置１０において、錘本体枠２０の既存上梁４０を既存縦梁５０から取り外す。また、既存縦梁５０の図２（ｂ）に示す位置に、すなわち既存取付孔６０の下方に、改造取付孔６１を加工する。そして、図３（ａ）〜（ｃ）に示すように、既存縦梁５０の上部に改造上梁４１を配置する。その後、改造上梁プレート４１ａのボルト孔４１ｂと、各ボルト孔４１ｂに対応する既存取付孔６０または改造取付孔６１と、に締結部材７０を挿入し、当該締結部材７０を締め付ける。このようにして、改造上梁４１が既存縦梁５０に取り付けられて、釣合錘装置１０が改造される。なお、既存縦梁５０を取り外す工程と改造取付孔６１を加工する工程の順序は、任意である。
【００３４】
このように第１の実施の形態によれば、エレベータ１の釣合錘装置１０の改造方法は、乗りかご３に連結された釣合錘装置１０であって、既存上梁４０と、既存下梁４５と、既存上梁４０と既存下梁４５とを連結した一対の既存縦梁５０と、を有する錘本体枠２０と、錘本体枠２０に搭載された錘３０と、を備えた、エレベータ１の釣合錘装置１０の改造方法であって、錘本体枠２０の既存上梁４０を、既存縦梁５０から取り外す取外工程と、既存縦梁５０に改造取付孔６１を加工する加工工程と、錘本体枠２０の既存縦梁５０に、改造上梁４１を取り付ける取付工程と、を備えている。取付工程において、改造上梁４１は、改造取付孔６１に挿入された締結部材７０によって既存縦梁５０に取り付けられ、加工工程において、改造取付孔６１は、既存上梁４０を既存縦梁５０に取り付けるための既存取付孔６０の下方に形成される。
【００３５】
既存上梁４０を改造上梁４１に交換するだけで釣合錘装置１０の強度が向上されるため、錘本体枠２０の他の部分を、改造後の釣合錘装置１０において再利用することが可能である。また、既存下梁４５及び既存縦梁５０を交換する必要がないため、錘３０を既存下梁４５及び既存縦梁５０に搭載したまま釣合錘装置１０を改造することができる。すなわち、改造前の錘本体枠２０から錘３０を取り外して、改造後の錘本体枠２０に積み直す必要がない。このため、短時間で釣合錘装置１０の強度を向上させることが可能である。
【００３６】
（第２の実施の形態）
次に、図２及び図４を参照し、第２の実施の形態におけるエレベータの釣合錘装置及びその改造方法について説明する。
【００３７】
図４に示す第２の実施の形態においては、改造後の釣合錘装置に用いられる改造上梁が切欠部を覆っている点が異なるが、他の構成は、図１乃至図３に示す第１の実施の形態と略同一である。図４に示す第２の実施の形態において、図１乃至図３に示す第１の実施の形態と同一部分には同一符号を付して詳細な説明は省略する。
【００３８】
まず、図４を参照して、第２の実施の形態における改造後の釣合錘装置１０について説明する。
【００３９】
図４（ａ）〜（ｃ）に示すように、改造上梁４２は、メインロープ４を接続可能なロープヒッチ部４６と、互いに離間した２つの改造上梁プレート４２ａと、を含んでいる。改造上梁プレート４２ａは、長さ寸法Ｌ０及びＬ１よりも大きい長さ寸法Ｌ２を有している。長さ寸法Ｌ２は、既存縦梁５０の上端部から切欠部５０ａの下端部までの長さＬｎよりも大きい。
【００４０】
長さ寸法Ｌｎよりも大きい長さ寸法Ｌ２を有する改造上梁４２を取り付けるため、既存縦梁５０には、改造取付孔６２が加工されている。図４（ｂ）に示すように、改造取付孔６２は、切欠部５０ａの下方に設けられている。ここで、改造上梁プレート４２ａの上下方向に延びる縁部には、既存取付孔６０と改造取付孔６２に対応して、ボルト孔４２ｂが設けられている。改造上梁プレート４２ａは、そのボルト孔４２ｂ並びに既存取付孔６０及び改造取付孔６２に締結部材７０を挿入することによって、既存縦梁５０に取り付けられている。
【００４１】
上述のように、改造前の釣合錘装置１０において、図２に示すように、既存上梁プレート４０ａは、長さ寸法Ｌ０を有する。この場合、既存上梁４０を固定する最も下側の締結部材７０と、既存下梁４５を固定する最も上側の締結部材７５と、の間隔は、間隔Ｄ０である。これに対し、改造後の釣合錘装置１０において、図４に示すように、改造上梁プレート４２ａは、長さ寸法Ｌ０よりも大きい長さ寸法Ｌ２を有する。この場合、改造上梁４２を固定する最も上側の締結部材７０と、既存下梁４５を固定する最も下側の締結部材７５と、の間隔は、間隔Ｄ０よりも小さい間隔Ｄ２である。よって、改造後の釣合錘装置１０において、一対の既存縦梁５０が互いから離れるように変形することが、より一層防止される。このように、長さ寸法Ｌ２が長さ寸法Ｌ０よりも大きいこと、及び、間隔Ｄ２が間隔Ｄ０よりも小さいことにより、改造後の錘本体枠２０の強度が、改造前の錘本体枠２０の強度よりも高められている。
【００４２】
また、上述のように、長さ寸法Ｌ２は、長さ寸法Ｌ１よりも大きい。これにより、間隔Ｄ２は、間隔Ｄ１よりも小さい。よって、第２の実施の形態における改造後の釣合錘装置１０は、第１の実施の形態における改造後の釣合錘装置１０と比較して、一対の既存縦梁５０が互いから離れるように変形することが、より一層防止される。このように、長さ寸法Ｌ２が長さ寸法Ｌ１よりも大きいこと、及び、間隔Ｄ２が間隔Ｄ１よりも小さいことにより、第２の実施の形態における改造後の錘本体枠２０の強度は、第１の実施の形態における改造前の錘本体枠２０の強度よりも高められている。
【００４３】
また、改造後の釣合錘装置１０において、改造上梁プレート４２ａは、既存縦梁５０の切欠部５０ａを覆うように配置され、切欠部５０ａの上方及び下方において既存縦梁５０に固定されている。この結果、改造後の錘本体枠２０における切欠部５０ａ周辺の強度が、改造前の錘本体枠２０における切欠部５０ａ周辺の強度よりも高められている。
【００４４】
次に、このような構成からなる第２の実施の形態の作用、すなわち釣合錘装置の改造方法について、図２（ａ）〜（ｃ）及び図４（ａ）〜（ｃ）を参照しながら説明する。
【００４５】
まず、改造前の釣合錘装置１０において、錘本体枠２０の既存上梁４０を既存縦梁５０から取り外す。また、既存縦梁５０の図４（ｃ）に示す位置に、すなわち切欠部５０ａの下方に改造取付孔６２を加工する。そして、図４（ａ）〜（ｃ）に示すように、既存縦梁５０に改造上梁４２を配置する。その後、改造上梁プレート４２ａのボルト孔４２ｂと、各ボルト孔４２ｂに対応する既存取付孔６０または改造取付孔６２と、に締結部材７０を挿入し、当該締結部材７０を締め付ける。このようにして、改造上梁４２が既存縦梁５０に取り付けられて、釣合錘装置１０が改造される。
【００４６】
このように第２の実施の形態によれば、既存縦梁５０に、既存取付孔６０よりも下方に切欠部５０ａが形成されており、加工工程において、改造取付孔６２は、切欠部５０ａよりも下方に形成される。
【００４７】
改造上梁４２が、既存縦梁５０の切欠部５０ａの上方に設けられた既存取付孔６０と、切欠部５０ａの下方に設けられた改造取付孔６２と、を用いて、既存縦梁５０に固定されることにより、すなわち、改造上梁４２が切欠部５０ａの上方及び下方において既存縦梁５０に固定されることにより、改造後の錘本体枠２０における切欠部５０ａ周辺の強度を、改造前の錘本体枠２０における切欠部５０ａ周辺の強度よりも高めることが可能である。この結果、釣合錘装置１０の強度を向上させることが可能である。
【００４８】
（第３の実施の形態）
次に、図２及び図５を参照し、第３の実施の形態におけるエレベータの釣合錘装置及びその改造方法について説明する。
【００４９】
図５に示す第３の実施の形態においては、改造上梁の両端部が一対の既存縦梁が向かい合う方向に向かい合うように配置されている点が異なるが、他の構成は、図１乃至図３に示す第１の実施の形態と略同一である。図５に示す第３の実施の形態において、図１乃至図３に示す第１の実施の形態と同一部分には同一符号を付して詳細な説明は省略する。
【００５０】
まず、図５を参照して、第３の実施の形態における改造後の釣合錘装置１０について説明する。
【００５１】
図５（ａ）〜（ｃ）に示すように、改造上梁４３は、メインロープ４を接続可能なロープヒッチ部４６と、互いに離間した２つの改造上梁プレート４３ａを含んでいる。改造上梁プレート４３ａは、上下方向に延びる両縁部が折り曲げられており、錘本体枠２０の上面視において、コの字型の形状を有している。より詳細には、改造上梁プレート４３ａは、改造後の釣合錘装置１０において正面または背面を向く中央部４３１と、中央部４３１の両端に位置し、互いに対向する一対の側面部４３２と、を有している。
【００５２】
上述のような改造上梁４３を取り付けるため、既存縦梁５０には、改造取付孔６３が加工されている。図５（ｃ）に示すように、改造取付孔６３は、改造取付孔６３に挿入される締結部材７０が一対の既存縦梁５０が向かい合う方向に向くように、既存縦梁５０の側面部に形成されている。ここで、改造上梁プレート４３ａの縁部４３２には、改造取付孔６３に対応して、ボルト孔４３ｂが設けられている。改造上梁プレート４３ａは、そのボルト孔４３ｂ及び改造取付孔６３に締結部材７０を挿入することによって、既存縦梁５０に取り付けられている。
【００５３】
上述のように、図２（ａ）〜（ｃ）に示す改造前の釣合錘装置１０において、既存上梁プレート４０ａが既存縦梁５０の正面及び背面のみを覆う。これに対し、図５（ａ）〜（ｃ）に示す改造後の釣合錘装置１０において、改造上梁プレート４３ａは、既存縦梁５０の正面及び背面だけでなく、その側面をも覆う。このため、錘本体枠２０の上部の強度が向上する。この結果、改造後の錘本体枠２０の強度が、改造前の錘本体枠２０の強度よりも高められている。
【００５４】
次に、このような構成からなる第３の実施の形態の作用、すなわち釣合錘装置の改造方法について、図２及び図５を参照しながら説明する。
【００５５】
まず、改造前の釣合錘装置１０において、錘本体枠２０の既存上梁４０を既存縦梁５０から取り外す。また、既存縦梁５０の図５（ｂ）に示す位置に、すなわち既存縦梁５０の側面部に、改造取付孔６３を加工する。改造取付孔６３は、上述のように、改造取付孔６３に挿入される締結部材７０が一対の既存縦梁５０が向かい合う方向に向くように形成される。そして、図５（ａ）〜（ｃ）に示すように、既存縦梁５０に改造上梁４３を配置する。その後、改造上梁プレート４３ａのボルト孔４３ｂと、各ボルト孔４３ｂに対応する改造取付孔６３と、に締結部材７０を挿入し、当該締結部材７０を締め付ける。このようにして、改造上梁４３が既存縦梁５０に取り付けられて、釣合錘装置１０が改造される。
【００５６】
このように第３の実施の形態によれば、エレベータ１の釣合錘装置１０の改造方法は、乗りかご３に連結された釣合錘装置１０であって、既存上梁４０と、既存下梁４５と、既存上梁４０と既存下梁４５とを連結した一対の既存縦梁５０と、を有する錘本体枠２０と、錘本体枠２０に搭載された錘３０と、を備えた、エレベータ１の釣合錘装置１０の改造方法であって、錘本体枠２０の既存上梁４０を、既存縦梁５０から取り外す取外工程と、既存縦梁５０に改造取付孔６３を加工する加工工程と、錘本体枠２０の既存縦梁５０に、改造上梁４３を取り付ける取付工程と、を備えている。取付工程において、改造上梁４３は、改造取付孔６３に挿入された締結部材７０によって既存縦梁５０に取り付けられ、加工工程において、既存縦梁５０の側面に形成される。
【００５７】
改造取付孔６３が既存縦梁５０の側面に形成されるため、改造後の釣合錘装置１０において、既存縦梁５０は、その正面及び背面だけでなく、その側面をも改造上梁４３によって覆われることとなる。このため、錘本体枠２０の上部の強度が向上する。この結果、改造後の錘本体枠２０の強度を、改造前の錘本体枠２０の強度よりも高めることが可能である。
【００５８】
また、既存上梁４０を改造上梁４３に交換するだけで釣合錘装置１０の強度が向上されるため、錘本体枠２０の他の部分を、改造後の釣合錘装置１０において再利用することが可能である。また、既存下梁４５及び既存縦梁５０を交換する必要がないため、錘３０を既存下梁４５及び既存縦梁５０に搭載したまま釣合錘装置１０を改造することができる。すなわち、改造前の錘本体枠２０から錘３０を取り外して、改造後の錘本体枠２０に積み直す必要がない。このため、短時間で釣合錘装置１０の強度を向上させることが可能である。
【００５９】
（第４の実施の形態）
次に、図２、図６及び図７を参照し、第４の実施の形態におけるエレベータの釣合錘装置及びその改造方法について説明する。
【００６０】
図６及び図７に示す第４の実施の形態においては、釣合錘装置の改造の際に既存上梁が交換されず、改造後の錘本体枠が既存上梁を有する点、及び、既存縦梁の切欠部に補強部材が取り付けられる点が異なるが、他の構成は、図１乃至図３に示す第１の実施の形態と略同一である。図６及び図７に示す第４の実施の形態において、図１乃至図３に示す第１の実施の形態と同一部分には同一符号を付して詳細な説明は省略する。
【００６１】
まず、図６及び図７を参照して、第４の実施の形態における改造後の釣合錘装置１０について説明する。
【００６２】
図６及び図７に示すように改造後の釣合錘装置１０の既存縦梁５０には、その切欠部５０ａを覆う補強部材８０が設けられている。図７に示すように、補強部材８０は、コの字型の形状の既存縦梁５０の内側に配置されている。ここで、既存縦梁５０の切欠部５０ａの上方及び下方には、補強部材８０を取り付けるための改造取付孔６４が加工されている。補強部材８０の上部及び下部には、改造取付孔６４に対応して、ボルト孔８０ｂが設けられている。補強部材８０は、そのボルト孔８０ｂ及び改造取付孔６４に、ボルト等の締結部材７１を挿入することによって、既存縦梁５０に取り付けられている。もちろん、補強部材８０を既存縦梁５０に固定する方法としては、これに限られず、例えば溶接によって固定されていてもよい。補強部材８０は上面視でＬ字型に形成されており、補強部材８０の側面部８０ａは、既存縦梁５０の側面部に当接されている。
【００６３】
次に、このような構成からなる第４の実施の形態の作用、すなわち釣合錘装置の改造方法について、図２（ａ）〜（ｃ）及び図６（ａ）〜（ｃ）を参照しながら説明する。
【００６４】
まず、補強部材８０を準備する。また、切欠部５０ａの上方及び下方に、改造取付孔６４を加工する。そして、この補強部材８０を、改造前の釣合錘装置１０において、コの字型の既存縦梁５０の内側に、切欠部５０ａを覆うように配置する。切欠部５０ａの上方及び下方において、補強部材８０のボルト孔８０ｂと、各ボルト孔８０ｂに対応する改造取付孔６４と、に締結部材７１を挿入し、当該締結部材７１を締め付ける。このようにして、補強部材８０が既存縦梁５０に取り付けられて、釣合錘装置１０が改造される。
【００６５】
なお、補強部材８０が配置される位置としては、既存縦梁５０の内側に限られず、既存縦梁５０の外側であってもよい。
【００６６】
このように第４の実施の形態によれば、エレベータ１の釣合錘装置１０の改造方法は、乗りかご３に連結された釣合錘装置１０であって、既存上梁４０と、既存下梁４５と、既存上梁４０と既存下梁４５とを連結した一対の既存縦梁５０と、を有する錘本体枠２０と、錘本体枠２０に搭載された錘３０と、を備えた、エレベータ１の釣合錘装置１０の改造方法であって、補強部材８０を準備する工程と、既存縦梁５０に補強部材８０を取り付ける取付工程と、を備えている。既存縦梁５０に、切欠部５０ａが形成されており、取付工程において、補強部材８０は、切欠部５０ａを覆うように既存縦梁５０に取り付けられる。
【００６７】
補強部材８０が切欠部５０ａを覆うように既存縦梁５０に取り付けられることにより、改造後の錘本体枠２０における切欠部５０ａ周辺の強度を、改造前の錘本体枠２０における切欠部５０ａ周辺の強度よりも高めることが可能である。この結果、改造後の錘本体枠２０の強度を、改造前の錘本体枠２０の強度よりも高めることができる。
【００６８】
また、錘本体枠２０を交換しなくても、補強部材８０を既存縦梁５０に取り付けるだけで釣合錘装置１０の強度が向上されるため、錘本体枠２０を、改造後の釣合錘装置１０において再利用することが可能である。また、既存下梁４５及び既存縦梁５０を交換する必要がないため、錘３０を既存下梁４５及び既存縦梁５０に搭載したまま釣合錘装置１０を改造することができる。すなわち、改造前の錘本体枠２０から錘３０を取り外して、改造後の錘本体枠２０に積み直す必要がない。このため、短時間で釣合錘装置１０の強度を向上させることが可能である。
【００６９】
また、第４の実施の形態によれば、エレベータ１の釣合錘装置１０は、乗りかご３に連結されるエレベータ１の釣合錘装置１０であって、上梁４０と、下梁４５と、上梁４０と下梁４５とを連結した一対の縦梁５０と、を有する錘本体枠２０と、錘本体枠２０に搭載された錘３０と、を備えている。縦梁５０は、上梁４０を取り付けるための取付孔６０と、取付孔６０よりも下方に設けられた切欠部５０ａと、を有し、縦梁５０に、切欠部５０ａを覆う補強部材８０が設けられている。
【００７０】
補強部材８０が、切欠部５０ａを覆うように既存縦梁５０に取り付けられているため、錘本体枠２０における切欠部５０ａ周辺の強度が、図２に示すような補強部材８０が設けられていない錘本体枠２０と比較して高い。したがって、錘本体枠２０の強度も、補強部材８０が設けられていない錘本体枠２０と比較して高い。
【００７１】
（第５の実施の形態）
次に、図２、図８及び図９を参照し、第５の実施の形態におけるエレベータの釣合錘装置及びその改造方法について説明する。
【００７２】
図８及び図９に示す第５の実施の形態においては、既存縦梁の切欠部に改造錘組立体が取り付けられる点が異なるが、他の構成は、図６及び図７に示す第４の実施の形態と略同一である。図８及び図９に示す第５の実施の形態において、図６及び図７に示す第４の実施の形態と同一部分には同一符号を付して詳細な説明は省略する。
【００７３】
まず、図８及び図９を参照して、第５の実施の形態における改造後の釣合錘装置１０について説明する。
【００７４】
図８及び図９に示すように、改造後の釣合錘装置１０の錘本体枠２０からは、錘３０の一部３１，３２が取り除かれている。ここでは、２つの主錘３１が取り除かれている例を示している。また、改造後の釣合錘装置１０の錘本体枠２０には、その一対の既存縦梁５０の間隙を覆うように、改造錘組立体９０が取り付けられている。改造錘組立体９０は、既存縦梁５０に取り付けられた取付板９１と、取付板９１に取り付けられた複数の改造錘９２と、を含んでいる。
【００７５】
取付板９１は、全体として平板な板状部材である。取付板９１は、一対の既存縦梁５０の正面及び裏面に、それぞれ切欠部５０ａを覆うように取り付けられている。ここで、改造後の釣合錘装置１０において、錘押さえ５５は取り外されており、取付板９１の下端部は、錘３０の上面に当接している。これにより、錘本体枠２０に搭載されている錘３０の脱落が防止されている。同時に、取付板９１の上端部は、切欠部５０ａの上方に位置するように配置されている。このようにして、切欠部５０ａは、取付板９１によって覆われている。
【００７６】
ここで、既存縦梁５０の切欠部５０ａの上方及び下方には、取付板９１を取り付けるための改造取付孔６５が加工されている。取付板９１の上下方向に延びる縁部には、改造取付孔６５に対応して、ボルト孔９１ｂが設けられている。取付板９１は、そのボルト孔９１ｂ及び改造取付孔６５に、ボルト等の締結部材７２を挿入することによって、既存縦梁５０に取り付けられている。もちろん、取付板９１を既存縦梁５０に固定する方法としては、これに限られず、例えば溶接によって固定されていてもよい。
【００７７】
改造錘９２は、取付板９１の中央に取り付けられている。取付板９１に取り付けられる改造錘９２の数は、改造後の釣合錘装置１０が所望の重さになるように決定される。図８に示す実施の形態においては、改造錘９２の合計質量が取り除かれた錘３０の一部３１，３２に相当する質量（ここでは２つの主錘３１の質量）となるように、改造錘９２の数が決定される。
【００７８】
ここで、取付板９１には、改造錘９２を取り付けるための取付孔９１ｃが設けられている。改造錘９２には、取付孔９１ｃに対応して、ボルト孔９２ｂが設けられている。改造錘９２は、そのボルト孔９２ｂ及び取付板９１の取付孔９１ｃに、ボルト等の締結部材７３を挿入することによって、取付板９１に取り付けられている。もちろん、改造錘９２を取付板９１に固定する方法としては、これに限られず、例えば溶接によって固定されていてもよい。
【００７９】
次に、このような構成からなる第５の実施の形態の作用、すなわち釣合錘装置の改造方法について、図２、図８及び図９を参照しながら説明する。
【００８０】
まず、改造前の釣合錘装置１０において、既存縦梁５０から錘押さえ５５を取り外す。次に、主錘３１または調整錘３２の一部を取り除く。また、既存縦梁５０の切欠部５０ｂの上方及び下方に、改造取付孔６５を加工する。また、切欠部５０ａの上方及び下方に、改造取付孔６５を加工する。次に、取付板９１を、一対の既存縦梁５０に、切欠部５０ａを覆うように配置する。このとき、取付板９１を、その下端部が錘３０の上面に当接するように配置する。切欠部５０ａの上方及び下方において、取付板９１のボルト孔９１ｂと、各ボルト孔９１ｂに対応する改造取付孔６５と、に締結部材７２を挿入し、当該締結部材７２を締め付ける。このようにして、取付板９１が既存縦梁５０に取り付けられ、改造後の錘本体枠２０の強度が向上される。具体的には、一対の既存縦梁５０が、互いから離れるように変形することが、より一層防止される。
【００８１】
次に、改造後の釣合錘装置１０の所望の重さに応じた数の改造錘９２を準備し、改造錘９２の数に対応した数の取付孔９１ｃを、取付板９１に加工する。その後、改造錘９２を取付板９１に配置する。各改造錘９２のボルト孔９２ｂと、各ボルト孔９２ｂに対応する取付板９１の取付孔９１ｃと、に締結部材７３を挿入し、当該締結部材７３を締め付ける。このようにして、改造錘９２が取付板９１に取り付けられる。この際、取り除いた主錘３１または調整錘３２の重さに相当するように、改造錘８２が取付板９１に取り付けられる。以上のようにして、釣合錘装置１０が改造される。
【００８２】
なお、取付板９１には、改造錘９２を取り付けるための取付孔９１ｃが予め加工されていてもよい。
【００８３】
このように第５の実施の形態によれば、エレベータ１の釣合錘装置１０の改造方法は、乗りかご３に連結された釣合錘装置１０であって、既存上梁４０と、既存下梁４５と、既存上梁４０と既存下梁４５とを連結した一対の既存縦梁５０と、を有する錘本体枠２０と、錘本体枠２０に搭載された錘３０と、を備え、錘本体枠２０から錘３０の一部を取り除く取除工程と、錘本体枠２０に、改造錘組立体９０を搭載する搭載工程と、を備えている。既存縦梁５０に、切欠部５０ａが形成されており、搭載工程において、改造錘９０組立体は、既存縦枠２０に取り付けられるとともに、切欠部５０ａを覆うように取り付けられる。
【００８４】
改造錘組立体９０が切欠部５０ａを覆うように既存縦梁５０に取り付けられることにより、改造後の錘本体枠２０における切欠部５０ａ周辺の強度を、改造前の錘本体枠２０における切欠部５０ａ周辺の強度よりも高めることが可能である。この結果、改造後の錘本体枠２０の強度を、改造前の錘本体枠２０の強度よりも高めることができる。
【００８５】
また、錘本体枠２０から錘３０の一部が取り除かれることにより、より大きな長さ寸法を有する改造錘組立体９０を取り付けることができる。このことにより、改造錘組立体９０を既存縦梁５０に固定する最も下側の締結部材７２と、既存下梁４５を既存縦梁５０に固定する最も上側の締結部材７５と、の間隔Ｄ３をより小さくすることができる。この結果、一対の既存縦梁５０が、互いから離れるように変形することが、より一層防止され得る。このように、長さ寸法のより大きな改造錘組立体９０を用いること、及び、既存下梁４５を既存縦梁５０に固定する最も上側の締結部材７５と、改造錘組立体９０を既存縦梁５０に固定する最も下側の締結部材７２と、の間隔Ｄ３がより小さくなることにより、改造後の錘本体枠２０の強度を、改造前の錘本体枠２０の強度よりも、より一層高めることができる。
【００８６】
また、錘本体枠２０を交換しなくても、改造錘組立体９０を錘本体枠２０に取り付けるだけで釣合錘装置１０の強度が向上されるため、錘本体枠２０を、改造後の釣合錘装置１０において再利用することが可能である。また、既存下梁４５及び既存縦梁５０を交換する必要がないため、錘３０を既存下梁４５及び既存縦梁５０に搭載したまま釣合錘装置１０を改造することができる。すなわち、改造前の錘本体枠２０から錘３０を取り外して、改造後の錘本体枠２０に積み直す必要がない。このため、短時間で釣合錘装置１０の強度を向上させることが可能である。
【００８７】
また、第５の実施の形態によれば、エレベータ１の釣合錘装置１０は、乗りかご３に連結されるエレベータ１の釣合錘装置１０であって、上梁４０と、下梁４５と、上梁４０と下梁４５とを連結した一対の縦梁５０と、を有する錘本体枠２０と、縦梁５０に取り付けられた取付板９１と、取付板９１に取り付けられた補助錘９２と、を備えている。縦梁５０は、上梁４０を取り付けるための取付孔６０と、取付孔６０よりも下方に設けられた切欠部５０ａと、を有し、取付板９１は、切欠部５０ａを覆っている。
【００８８】
取付板９１が切欠部５０ａを覆うように錘本体枠２０に搭載されているため、錘本体枠２０における切欠部５０ａ周辺の強度が、図２に示すような取付板９１が設けられていない錘本体枠２０と比較して高い。したがって、錘本体枠２０の強度も、取付板９１が設けられていない錘本体枠２０と比較して高い。
【００８９】
本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。また、当然のことながら、本発明の要旨の範囲内で、これらの実施の形態を、部分的に適宜組み合わせることも可能である。
【符号の説明】
【００９０】
２：昇降路、３：乗りかご、１０：釣合錘装置、２０：錘本体枠、４０：既存上梁、４１：改造上梁、４５：既存下梁、５０：既存縦梁、５０ａ：切欠部、６０：既存取付孔、６１：改造取付孔、７０：ボルト
【図１】
2018095409.tif 000003
【図２】
2018095409.tif 000004
【図３】
2018095409.tif 000005
【図４】
2018095409.tif 000006
【図５】
2018095409.tif 000007
【図６】
2018095409.tif 000008
【図７】
2018095409.tif 000009
【図８】
2018095409.tif 000010
【図９】
2018095409.tif 000011
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
乗りかごに連結された釣合錘装置であって、既存上梁と、既存下梁と、前記既存上梁と前記既存下梁とを連結した一対の既存縦梁と、を有する錘本体枠と、前記錘本体枠に搭載された錘と、を備えた、エレベータの釣合錘装置の改造方法であって、前記錘本体枠の前記既存上梁を、前記既存縦梁から取り外す取外工程と、前記既存縦梁に改造取付孔を加工する加工工程と、前記錘本体枠の前記既存縦梁に、改造上梁を取り付ける取付工程と、を備え、前記取付工程において、前記改造上梁は、前記改造取付孔に挿入された締結部材によって前記既存縦梁に取り付けられ、前記加工工程において、前記改造取付孔は、前記既存上梁を前記既存縦梁に取り付けるための既存取付孔の下方に形成されることを特徴とするエレベータの釣合錘装置の改造方法。
【請求項２】
前記既存縦梁に、前記既存取付孔よりも下方に切欠部が形成されており、前記加工工程において、前記改造取付孔は、前記切欠部よりも下方に形成されることを特徴とする請求項１に記載のエレベータの釣合錘装置の改造方法。
【請求項３】
乗りかごに連結された釣合錘装置であって、既存上梁と、既存下梁と、前記既存上梁と前記既存下梁とを連結した一対の既存縦梁と、を有する錘本体枠と、前記錘本体枠に搭載された錘と、を備えた、エレベータの釣合錘装置の改造方法であって、前記錘本体枠の前記既存上梁を、前記既存縦梁から取り外す取外工程と、前記既存縦梁に改造取付孔を加工する加工工程と、前記錘本体枠の前記既存縦梁に、改造上梁を取り付ける取付工程と、を備え、前記取付工程において、前記改造上梁は、前記改造取付孔に挿入された締結部材によって前記既存縦梁に取り付けられ、前記加工工程において、前記改造取付孔は、前記既存縦梁の側面に形成されることを特徴とするエレベータの釣合錘装置の改造方法。